(57)【要約】【課題】  前面パネルを筐体の前面側から取り外した状態でディスクの交換を行う場合であっても、前面パネルを筐体の前方にそれほど突出させることなく、かつ、簡易な構成によって、前面パネルの後面側に配置されたディスクの交換を行うことができるディスク駆動装置を提供すること。【解決手段】  ディスク駆動装置１は、前面パネル５の前面に配設されたつまみ１４と、つまみ１４の後面側に配置され、前面パネル５を筐体４に固定する固定ネジ４３とを備えている。つまみ１４は、筐体４に前面パネル５が固定された状態で前面パネル５から取外しが可能に構成されている。【選択図】      図１１
2006318526.tif 000002
【特許請求の範囲】
【請求項１】
筐体と、該筐体の前面側に固定された前面パネルとを備えるディスク駆動装置において、
上記前面パネルを上記筐体に固定する固定部材と、上記ディスク駆動装置の所定の操作を行うため、上記前面パネルの前面に配設された操作部材とを備え、
上記固定部材は、上記操作部材の後面側に配置され、
上記操作部材は、上記筐体に上記前面パネルが固定された状態で上記前面パネルから取外しが可能に構成されていることを特徴とするディスク駆動装置。
【請求項２】
前記固定部材とともに前記前面パネルを前記筐体に固定するパネル固定機構を前記前面パネルの後面側に備え、
前記前面パネルに、上記パネル固定機構による前記前面パネルの前記筐体への固定状態を解除する治具を挿入可能な挿入孔が形成されていることを特徴とする請求項１記載のディスク駆動装置。
【請求項３】
筐体と、該筐体の前面側に固定された前面パネルとを備えるディスク駆動装置において、
上記前面パネルを前記筐体に固定するパネル固定機構を上記前面パネルの後面側に備え、上記前面パネルに、上記パネル固定機構による上記前面パネルの上記筐体への固定状態を解除する治具を挿入可能な挿入孔が形成されていることを特徴とするディスク駆動装置。
【請求項４】
前記挿入孔は、前記筐体に前記前面パネルが固定された状態で交換可能な第１のディスクが挿入可能なディスク挿入孔であることを特徴とする請求項２または３記載のディスク駆動装置。
【請求項５】
前記パネル固定機構は、前記前面パネルおよび前記筐体のいずれか一方に取り付けられた回転可能なレバー部材と、前記前面パネルおよび前記筐体のいずれか他方に取り付けられ、上記レバー部材が係合可能な係合部材とを備え、
前記ディスク挿入孔は、扁平な細長状に形成され、
上記レバー部材と上記係合部材とが、前記ディスク挿入孔の長手方向の両側にそれぞれ配設されていることを特徴とする請求項４記載のディスク駆動装置。
【請求項６】
前記前面パネルの後面側に表示装置を備えるとともに、
該表示装置の後面側に、前記筐体に前記前面パネルが固定された状態で交換不可能な第２のディスクを駆動するディスク駆動機構を備え、
前記筐体は、上記表示装置を揺動可能に支持する支持部を備え、
上記表示装置がその下端側を中心として前面側に揺動して、上記ディスク駆動機構で駆動される上記第２のディスクの交換が可能となることを特徴とする請求項１から５いずれかに記載のディスク駆動装置。
【請求項７】
前記操作部材は、前記ディスク駆動装置から発生される音声の大きさを調整する音量調整用のつまみであることを特徴とする請求項１または２記載のディスク駆動装置。
【発明の詳細な説明】
【技術分野】
【０００１】
本発明は、ＣＤ、ＭＤあるいはＤＶＤ等のディスクに対して記録、再生を行うディスク駆動装置に関する。
【背景技術】
【０００２】
従来から、ＣＤ、ＭＤあるいはＤＶＤ等のディスクに対して記録、再生を行うディスク駆動装置は、ＡＶ機器やパーソナルコンピュータなどに広く用いられている。また、自動車に搭載されるカーナビゲーション装置として、筐体や、筐体の前面側に固定された前面パネルや、前面パネルの後面側に取り付けられ前面から視認可能なディスプレイ等を備えるディスク駆動装置が用いられている。
【０００３】
カーナビゲーション装置で使用されるディスクは、一般に、地図が記憶された地図用のディスク（地図ディスク）である。そのため、カーナビゲーション装置でディスクの交換が行われるのは、使用者が地図をバージョンアップする場合等、多くても１年に数回程度である。したがって、前面パネルに地図ディスクの挿入孔を形成することは、デザイン上好ましくない。そこで、近年では、ディスプレイの後面側に地図ディスクの駆動機構を配置し、筐体にパネルが固定された状態（すなわち、筐体にディスプレイが取り付けられた状態）では、地図ディスクの交換が容易にできないように構成されたカーナビゲーション装置も提案されている。
【０００４】
この種のカーナビゲーション装置としては、ディスプレイが固定された前面パネルの後面側に地図ディスクの駆動機構を前面パネルと一体に取り付け、地図ディスクの駆動機構を前面パネルとともに筐体の前面側に引き出すことで、前面パネルを筐体の前面側から取り外して、地図ディスクの交換を行うように構成されたカーナビゲーション装置が知られている（たとえば、特許文献１参照）。この特許文献１に記載されたカーナビゲーション装置では、筐体に対する前面パネルの固定は、回転可能なレバー部材やこのレバー部材に係合する係合部材等から構成されるパネル固定機構によって行われている。また、パネル固定機構による筐体への前面パネルの固定の解除は、前面パネルの前面に配置された解除ボタンによって、レバー部材と係合部材との係合を解除することで行われている。
【０００５】
また、カーナビゲーション装置ではないが、車載用音響装置に用いられるディスク駆動装置として、前面パネルの後面側にディスクの駆動機構を配置し、筐体に前面パネルが固定された状態では、ディスクの交換ができないように構成されたディスク駆動装置も知られている（たとえば、特許文献２参照）。特許文献２に記載されたディスク駆動装置では、モータや歯車等から構成させるパネル駆動機構によって、前面パネルの下端側を前面側に移動させるとともに前面パネルの上端側を筐体の前面に沿って下側に移動させることで、前面パネルを筐体の前面側から取り外して、ディスクの交換が行われるようになっている。
【０００６】
【特許文献１】特開２００４−２２８４１９号公報
【特許文献２】特開２００４−２１７１８６号公報
【発明の開示】
【発明が解決しようとする課題】
【０００７】
特許文献１に記載されたカーナビゲーション装置（ディスク駆動装置）では、ディスクの取出しが可能な位置まで、ディスクが載置されたトレイを前面パネルとともに筐体の前面側に大きく引き出す必要がある。そのため、ディスクを交換するためには、筐体の前方に大きなスペースが必要となる。しかしながら、カーナビゲーション装置のように車載用に用いられるディスク駆動装置の場合、その配置位置によっては、筐体の前方にシフトレバー等が配置されることもあり、前面パネルとシフトレバー等とが干渉するといった問題が生じる。
【０００８】
また、特許文献１に記載のカーナビゲーション装置では、パネル固定機構による筐体への前面パネルの固定の解除を行うため、前面パネルの前面に解除ボタンが配置されている。しかしながら、上述した地図ディスクのように、ディスクの交換頻度が低い場合には、解除ボタンの使用頻度が低いにもかかわらず、前面パネルの前面に解除ボタンを配置することはデザイン上好ましくない。
【０００９】
一方、特許文献２に記載のディスク駆動装置では、ディスクを交換する際には、前面パネルの下端側を前面側に移動させるとともに前面パネルの上端側を筐体の前面に沿って下側に移動させている。そのため、特許文献１に記載されたようなトレイを前面側に引き出す構成と比較して、筐体の前方ではそれほど大きなスペースは必要とされない。しかしながら、特許文献２に記載されたディスク駆動装置は、前面パネルを駆動するためのパネル駆動機構を備えている。そのため、ディスク駆動装置の構成が複雑化し、その結果、ディスク駆動装置のコストが高くなる。また、パネル駆動機構を構成するモータ等のノイズの影響で、ディスク駆動装置の性能劣化を招くおそれもある。特に、上述した地図ディスクのように、ディスクの交換頻度が低い場合には、前面パネルを駆動するためのパネル駆動機構を設ける必要性が低いにもかかわらず、上述した問題が生じる。
【００１０】
そこで、本発明の課題は、前面パネルを筐体の前面側から取り外した状態でディスクの交換を行う場合であっても、前面パネルを筐体の前方にそれほど突出させることなく、かつ、簡易な構成によって、前面パネルの後面側に配置されたディスクの交換を行うことができるディスク駆動装置を提供することにある。
【課題を解決するための手段】
【００１１】
上記の課題を解決するため、本発明は、筐体と、筐体の前面側に固定された前面パネルとを備えるディスク駆動装置において、前面パネルを筐体に固定する固定部材と、ディスク駆動装置の所定の操作を行うため、前面パネルの前面に配設された操作部材とを備え、固定部材は、操作部材の後面側に配置され、操作部材は、筐体に前面パネルが固定された状態で前面パネルから取外しが可能に構成されていることを特徴とする。
【００１２】
本発明において、固定部材とともに前面パネルを筐体に固定するパネル固定機構を前面パネルの後面側に備え、前面パネルに、パネル固定機構による前面パネルの筐体への固定状態を解除する治具を挿入可能な挿入孔が形成されていることが好ましい。
【００１３】
また、上記の課題を解決するため、本発明は、筐体と、筐体の前面側に固定された前面パネルとを備えるディスク駆動装置において、前面パネルを筐体に固定するパネル固定機構を前面パネルの後面側に備え、前面パネルに、パネル固定機構による前面パネルの筐体への固定状態を解除する治具を挿入可能な挿入孔が形成されていることを特徴とする。
【００１４】
本発明において、挿入孔は、筐体に前面パネルが固定された状態で交換可能な第１のディスクが挿入可能なディスク挿入孔であることが好ましい。
【００１５】
本発明において、パネル固定機構は、前面パネルおよび筐体のいずれか一方に取り付けられた回転可能なレバー部材と、前面パネルおよび筐体のいずれか他方に取り付けられ、レバー部材が係合可能な係合部材とを備え、ディスク挿入孔は、扁平な細長状に形成され、レバー部材と係合部材とが、ディスク挿入孔の長手方向の両側にそれぞれ配設されていることが好ましい。
【００１６】
本発明において、前面パネルの後面側に表示装置を備えるとともに、表示装置の後面側に、筐体に前面パネルが固定された状態で交換不可能な第２のディスクを駆動するディスク駆動機構を備え、筐体は、表示装置を揺動可能に支持する支持部を備え、表示装置がその下端側を中心として前面側に揺動して、ディスク駆動機構で駆動される第２のディスクの交換が可能となることが好ましい。
【００１７】
本発明において、操作部材は、ディスク駆動装置から発生される音声の大きさを調整する音量調整用のつまみであることが好ましい。
【発明の効果】
【００１８】
本発明にかかるディスク駆動装置では、前面パネルを筐体の前方にそれほど突出させることなく、かつ、簡易な構成によって、前面パネルを筐体の前面側から取り外した状態で前面パネルの後面側に配置されたディスクの交換を行うことができる。
【発明を実施するための最良の形態】
【００１９】
以下、本発明の一実施の形態にかかるディスク駆動装置を図面に基づいて説明する。
【００２０】
（ディスク駆動装置の概略構成）
図１は、本発明の実施の形態にかかるディスク駆動装置１を示す斜視図である。図２は、図１に示すディスク駆動装置１において、地図ディスク２の交換時の状態（前面パネル５を取り外し、取付金具体１０を前面側に揺動した状態）を示す斜視図である。
【００２１】
本形態のディスク駆動装置１は、ＣＤ、ＭＤ、ＤＶＤ等の光記録媒体であるディスクに記録された情報を再生するものである。より具体的には、本形態のディスク駆動装置１は、地図が記録された地図用のディスク（地図ディスク）２（図２参照）を再生するカーナビゲーション装置である。また、ディスク駆動装置１は、音楽が記録された音楽用のディスク（音楽ディスク）３（図１参照）を再生する音響装置でもある。このディスク駆動装置１は、図１および図２に示すように、直方体の箱状に形成された筐体４と、前面パネル５と、地図ディスク２を再生する地図ディスク駆動機構６と、音楽ディスク３を再生する音楽ディスク駆動機構７とを備えている。
【００２２】
前面パネル５は、図１に示すように、通常は、筐体４の前面側に固定されている。また、前面パネル５の後面側には、地図ディスク２に記録された地図を表示する表示装置である液晶ディスプレイ９（以下では、ディスプレイ９と表記）が、前面パネル５の前面側から視認できる状態で配設されている。さらに、図２に示すように、ディスプレイ９は、筐体４の前面側に取り付けられた取付金具体１０の前面側に固定されている。この取付金具体１０は、前面パネル５を筐体４の前面側から取り外した状態で、下端側を中心に前面側に揺動（回転）して、前面側に倒れるようになっている。すなわち、取付金具体１０は、筐体４の前面側に対して開閉可能に構成されている。
【００２３】
地図ディスク駆動機構６は、図２に示すように、地図ディスク２の挿入、排出を行うためのディスク挿入孔６ａを備えている。同様に、音楽ディスク駆動機構７は、音楽ディスク３の挿入、排出を行うためのディスク挿入孔７ａを備えている。また、地図ディスク駆動機構６と音楽ディスク駆動機構７とは、図２に示すように、筐体４の内部に収納されている。
【００２４】
本形態では、地図ディスク駆動機構６を下側にして、地図ディスク駆動機構６と音楽ディスク駆動機構７とが重なるように、筐体４の内部に、地図ディスク駆動機構６と音楽ディスク駆動機構７とが収納されている。より具体的には、地図ディスク駆動機構６は、取付金具体１０の後面側に配設され、取付金具体１０が閉じた状態では、前面側からディスク挿入孔６ａを視認できない状態で筐体４に収納されている。一方、音楽ディスク駆動機構７は、取付金具体１０が閉じた状態でも、前面側からディスク挿入孔７ａを視認できる状態で筐体４に収納されている。また、前面パネル５には、音楽ディスク駆動機構７に対して音楽ディスク３の挿入、排出を行うためのディスク挿入孔５ａが形成されている。このように、本形態のディスク駆動装置１では、前面パネル５が筐体４の前面側に固定された状態では、音楽ディスク３の交換はできるが、地図ディスク２の交換ができないようになっている。すなわち、本形態では、地図ディスク２の交換は、前面パネル５を筐体４から取り外し、取付金具体１０を前面側に倒した状態（図２参照）で行われるように構成されている。
【００２５】
図１に示すように、前面パネル５には、ディスク駆動装置１の所定の操作を行うための操作部材が配設されている。たとえば、操作部材として、音楽ディスク３の排出を行うイジェクトボタン１１、地図ディスク駆動機構６および音楽ディスク駆動機構７の相互間の切替操作を行う操作ボタン１２、音楽ディスク駆動機構７の選曲操作を行う操作ボタン１３、および、音楽ディスク駆動機構７や地図ディスク駆動機構６から発生される音声の大きさを調整する音量調整用のつまみ１４が、前面パネル５に配設されている。図１に示すように、イジェクトボタン１１や操作ボタン１２、１３は、前面パネル５の前面からわずかに突出するように形成されている。これに対して、つまみ１４は、ユーザが容易につまむことができるように、イジェクトボタン１１や操作ボタン１２、１３に比べ、前面側に大きく突出するように形成されている。このつまみ１４は、前面パネル５が筐体４に固定された状態で、前面パネル５から取外しが可能になっている。イジェクトボタン１１、操作ボタン１２、１３およびつまみ１４の詳細な構成については、後述する。
【００２６】
なお、以下では、図１に示すように、ディスク駆動装置１の前後方向をＸ方向、横方向をＹ方向、および上下方向をＺ方向とし、特に、ディスク駆動装置１の前面側に向かう方向をＸ１方向、後面側に向かう方向をＸ２方向、図１の左方向をＹ１方向、図１の右方向をＹ２方向とする。また、Ｘ軸とＹ軸とから形成される平面をＸＹ平面、Ｙ軸とＺ軸とから形成される平面をＹＺ平面、Ｚ軸とＸ軸とから形成される平面をＺＸ平面とする。
【００２７】
（ディスク駆動装置の前面側の構成）
図３は、図１に示すディスク駆動装置１の前面パネル５を示す分解斜視図である。図４は、図１に示すディスク駆動装置１の、前面パネル５を除く前面側の主要構成を示す分解斜視図である。図５は、図４に示す本体シャーシ１６および前面フレーム１７の構成を示す分解斜視図である。図６は、図４に示す取付金具体１０を示す分解斜視図である。図７は、レバー部材２５と係合部材１８との係合関係を示す斜視図であり、（Ａ）は係合前の状態、（Ｂ）は係合後の状態を示す。図８は、図４に示すレバー部材２５とその周辺の構成を示す断面図である。図９は、図６に示すボス４４の断面を拡大して示す拡大断面図である。
【００２８】
以下、本発明の要部となるディスク駆動装置１の前面側の構成を説明する。ディスク駆動装置１の前面側には、上述した前面パネル５、取付金具体１０やつまみ１４等の他に、図３に示すように、筐体４に固定された本体シャーシ１６および本体シャーシ１６の前面側に固定された前面フレーム１７が配設されている。
【００２９】
つまみ１４は、図３に示すように、円柱形状に形成されたつまみ部１４ａと、扁平な円柱形状に形成された鍔部１４ｂと、円筒形状に形成された取付部１４ｃとがこの順番で軸方向に配置されて構成されている。つまみ部１４ａは、ユーザが容易につまむことができるように、比較的大径の円柱形状に形成されている。鍔部１４ｂの外径は、前面パネル５に形成された後述の開口部６０ｈの径よりも大きく形成されており、鍔部１４ｂは、図１に示すように前面パネル５の前面側に配置されるようになっている。取付部１４ｃは、前面パネル５に形成された後述の開口部６０ｈに配置されるようになっており、この取付部１４ｃの外径は、つまみ部１４ａの外径よりも小さくなっている。また、つまみ１４には、取付部１４ｃのＸ２方向端からＸ１方向に向かってつまみ部１４ａの所定の位置まで挿入孔１４ｄが形成されている。この挿入孔１４ｄには、後述するスイッチ基板６８に取り付けられた音量調整用のボリューム７０のボリューム操作部７０ａが挿入されるようになっている。ここで、つまみ１４は、ボリューム操作部７０ａに対して容易に抜き差しができるように構成されている。
【００３０】
イジェクトボタン１１は、図３に示すように、略円筒状に形成されている。このイジェクトボタン１１は、後述のスイッチ基板６８に取り付けられた所定のスイッチに当接する当接突起１１ａを備えている。この当接突起１１ａは、イジェクトボタン１１のＸ２方向端からＸ２方向に突出するように形成されている。また、イジェクトボタン１１は、このイジェクトボタン１１を、前面パネル５を構成する後述のパネル本体６０の後面側に取り付けるための略Ｌ型の取付部１１ｂを備えている。取付部１１ｂは、図示上側へ突出するように形成されている。
【００３１】
操作ボタン１２は、図３に示すように、略円盤状に形成されている。この操作ボタン１２の略中心部分には、円形状の開口孔１２ａが形成されている。また、操作ボタン１２には、操作ボタン１２を後述の保持体６７へ取り付けるための２つの取付部１２ｂ、１２ｂと、後述の採光板６５を保持する２本の保持突起１２ｃ、１２ｃと、後述のスイッチ基板６８に取り付けられた所定のスイッチに当接する２本の当接突起１２ｄ、１２ｄとが、それぞれ略１８０°ピッチでかつ、Ｘ２方向に突出するように開口孔１２ａの周りに形成されている。取付部１２ｂ、１２ｂにはそれぞれ、取付孔１２ｂ１が形成されている。
【００３２】
操作ボタン１３も、図３に示すように、略円盤状に形成されている。この操作ボタン１３の略中心部分にも、円形状の開口孔１３ａが形成されている。また、操作ボタン１３にも、操作ボタン１３を後述の保持体６７へ取り付けるための２つの取付部１３ｂ、１３ｂと、後述の採光板６６を保持する２本の保持突起１３ｃ、１３ｃと、後述のスイッチ基板６８に取り付けられた所定のスイッチに当接する２本の当接突起１３ｄ、１３ｄとが、それぞれ略１８０°ピッチでかつ、Ｘ２方向に突出するように開口孔１３ａの周りに形成されている。取付部１３ｂ、１３ｂにはそれぞれ、取付孔１３ｂ１が形成されている。
【００３３】
操作ボタン１２、１３のそれぞれの後面側で、かつ、開口孔１２ａ、１３ａに対応する位置にはそれぞれ、採光板６５、６６が配設されるようになっている。採光板６５、６６は、透明または半透明のプラスチック部材で、図３に示すように、略円盤状に形成されている。また、採光板６５、６６にはそれぞれ、操作ボタン１２、１３の保持突起１２ｃ、１３ｃを挿通して、操作ボタン１２、１３に採光板６５、６６を取り付けるための取付孔６５ａ、６６ａが形成されている。より具体的には、採光板６５、６６にはそれぞれ、径方向の外側に突出するように、かつ、略１８０°ピッチで２つずつ形成された突出部に、取付孔６５ａ、６６ａが形成されている。
【００３４】
前面パネル５は、図３に示すように、パネル本体６０と、ディスク挿入孔５ａ部分に取り付けられる目隠し板６２と、目隠し板６２をパネル本体６０に固定する固定金具６３と、挿入時および／または排出時に音楽ディスク３の案内するガイド６４と、操作ボタン１２、１３が揺動可能に保持される保持体６７と、操作ボタン１２、１３やつまみ１４等が接続されるスイッチ基板６８と、スイッチ基板６８とつまみ１４との間に配設される採光板６９とを備えている。また、前面パネル５には、後述する２本のレバー部材２５、２５と係合する２つの係合部材１８、１８が取り付けられている。
【００３５】
パネル本体６０は、図３に示すように、ＹＺ平面と平行に形成された矩形状の前面部６０ｂと、前面部６０ｂの４辺からＸ２方向（後面側）に向かって、かつ、前面部６０ｂに対して垂直に形成された４つの側面部６０ｃとを備えた略箱状に形成されている。前面部６０ｂには、上述したディスク挿入孔５ａの他に、ディスプレイ９用の開口部６０ｄと、イジェクトボタン１１用の開口部６０ｅと、２つの操作ボタン１２、１３用の２つの開口部６０ｆ、６０ｇと、つまみ１４用の開口部６０ｈとが形成されている。また、前面部６０ｂには、スイッチ基板６８が取り付けられる４つのボス部６０ｉと、固定金具６３やガイド６４等が取り付けられる２つのボス部６０ｊ、６０ｊと、２つの係合部材１８、１８がそれぞれ取り付けられるボス部６０ｋ、６０ｋとがＸ２方向に突出するように形成されている。さらに、前面部６０ｂには、固定部材としての後述の固定ネジ４３が保持される保持部６０ｍが形成されている。
【００３６】
ディスク挿入孔５ａは、図３に示すように、Ｙ方向を長手方向とする扁平な細長状の開口であり、前面部６０ｂの上端側で、かつ、Ｙ方向のほぼ中央位置に形成されている。ディスプレイ９用の開口部６０ｄは、ディスク駆動装置１の前面側からディスプレイ９の視認が可能となるように形成された矩形状の開口である。この開口部６０ｄのＹ方向の幅は、前面部６０ｄのＹ方向の幅の約３／４〜４／５となっており、開口部６０ｄは、Ｙ方向では、前面部６０ｂのＹ１方向端側からＹ２方向に向かって形成されている。また、開口部６０ｂは、Ｚ方向では、ディスク挿入孔５ａの下側に配置され、前面部６０ｂの下端側まで形成されている。
【００３７】
２つの操作ボタン１２、１３用の２つの開口部６０ｆ、６０ｇは、操作ボタン１２、１３がそれぞれ開口部６０ｆ、６０ｇに嵌め込まれた状態で前面部６０ｂに配置可能となるように形成された円形状の開口である。また、つまみ１４用の開口部６０ｈは、つまみ１４が前面部６０ｂに配置可能となるように形成された円形状の開口である。この開口部６０ｈには、スイッチ基板６８に取り付けられた音量調整用のボリューム７０のボリューム操作部７０ａの一部が配設されるようになっている。開口部６０ｆ、６０ｇ、６０ｈは、上方向からこの順番で、かつ、ディスプレイ９用の開口部６０ｄのＹ２方向側の側方に形成されている。また、イジェクトボタン１１用の開口部６０ｅは、イジェクトボタン１１が開口部６０ｅに嵌め込まれた状態で前面部６０ｂに配置可能となるように、ディスク挿入孔５ａのＹ２方向側の側方に形成された円形状の開口である。なお、図３では、便宜上、開口部６０ｆ、６０ｇの径よりも操作ボタン１２、１３の外径が大きく図示されているが、操作ボタン１２、１３は、開口部６０ｆ、６０ｇに嵌まり込むようになっている。
【００３８】
４つのボス部６０ｉは、開口部６０ｄのＹ２方向側の側方で、かつ、開口部６０ｆ、６０ｇ、６０ｈの周辺に配置されるように形成されている。４つのボス部６０ｉにはそれぞれ、スイッチ基板６８をパネル本体６０に固定する４本のネジ７２がそれぞれ螺合するメネジ部が形成されている。２つのボス部６０ｊ、６０ｊは、ディスク挿入孔５ａのＹ方向両側に形成されている。２つのボス部６０ｊ、６０ｊにはそれぞれ、目隠し板６２、固定金具６３およびガイド６４をパネル本体６０に固定する２本のネジ７３、７３がそれぞれ螺合するメネジ部が形成されている。
【００３９】
２つのボス部６０ｋ、６０ｋはそれぞれ、ディスク挿入孔５ａのＹ方向両側に形成されている。より具体的には、一方のボス部６０ｋは、２つのボス部６０ｊ、６０ｊのうち、Ｙ１方向側に形成されたボス部６０ｊのＹ１方向側の側方に形成されている。また、他方のボス部６０ｋは、開口部６０ｅのＹ２方向側に側方に形成されている。２つのボス部６０ｋ、６０ｋにはそれぞれ、係合部材１８、１８をパネル本体６０に固定する２本のネジ１９、１９がそれぞれ螺合するメネジ部が形成されている。
【００４０】
保持部６０ｍは、開口部６０ｈの開口端近傍からＸ２方向に立ち上がった後、開口部６０ｈの中心に向かって折れ曲がるような略Ｌ形状に形成されている。この保持部６０ｍには、後述の固定ネジ４３のネジ部が挿通される挿通孔６０ｍ１が、Ｘ方向に貫通するように形成されている。この挿通孔６０ｍ１は、つまみ１４を取り外した状態では、前面パネル５の前面側から視認できる位置に形成されている。そのため、挿通孔６０ｍ１の挿通された固定ネジ４３の頭部は、つまみ１４を取り外した状態では、開口部６０ｈの奥側（Ｘ２方向側）で前面パネル５の前面側に露出するようになっている。また、保持部６０ｍは、固定ネジ４３の頭部が保持部６０ｍに当接した状態で、固定ネジ４３の頭部が、パネル本体６０の前面よりも突出しないように形成されている。
【００４１】
目隠し板６２は、フェルト等の柔軟性を有する材料で薄い板状に形成されている。この目隠し板６２には、音楽ディスク３が通過するスリット部６２ａが形成されている。
【００４２】
固定金具６３は、目隠し板６２に当接する当接部６３ａと、ボス部６０ｊ、６０ｊに固定される２つの固定部６３ｂ、６３ｂとを備えており、２つの固定部６３ｂ、６３ｂがＸ２方向へ突出するように形成されている。当接部６３ａには、音楽ディスク３が通過する開口部６３ａ１が形成されている。また、２つの固定部６３ｂ、６３ｂにはそれぞれ、ネジ７３、７３が挿通される挿通孔６３ｂ１、６３ｂ１が形成されている。
【００４３】
ガイド６４は、音楽ディスク３を案内する案内部６４ａとボス部６０ｊ、６０ｊに固定される固定部６４ｂとを備えている。案内部６４ａには、音楽ディスク３が通過する開口部（図示省略）がＸ方向に貫通するように形成されている。また、固定部６４ｂには、ネジ７３、７３が挿通される２つの挿通孔６４ｂ１、６４ｂ１が形成されている。
【００４４】
目隠し板６２と固定金具６３とガイド６４とは、パネル本体６０からＸ２方向にこの順番で配置された状態で、２本のネジ７３、７３によって、パネル本体６０に、取付、固定されている（図３参照）。目隠し板６２と固定金具６３とガイド６４とがパネル本体６０に固定された状態では、ディスク挿入孔５ａ、目隠し板６２のスリット部６２ａ、固定金具６３の開口部６３ａ１およびガイド６４の案内部６４ａに形成された開口部（図示省略）がＸ方向に連通するようになっている。
【００４５】
保持体６７は、図３に示すように、操作ボタン１２を保持する保持孔６７ａと、操作ボタン１３を保持する保持孔６７ｂとが上からこの順番で上下方向に重なるように枠状に形成されている。また、保持体６７は、Ｚ方向では、スイッチ基板６８に取り付けられたボリューム７０と干渉しない大きさに形成されている。
【００４６】
保持孔６７ａのＹ方向両縁には、操作ボタン１２の取付孔１２ｂ１、１２ｂ１に挿通される保持突起６７ｃ、６７ｃがＹ方向内側に突出するように形成されている。この保持突起６７ｃ、６７ｃには、Ｙ方向を揺動中心とした揺動が可能となるように、操作ボタン１２が保持されるようになっている。保持孔６７ｂのＺ方向両縁には、操作ボタン１３の取付孔１３ｂ１、１３ｂ１に挿通される保持突起６７ｄ、６７ｄがＺ方向内側に突出するように形成されている。この保持突起６７ｄ、６７ｄには、Ｚ方向を揺動中心とした揺動が可能となるように、操作ボタン１３が保持されるようになっている。また、保持体６７の上下端には、パネル本体６０に固定するための固定部６７ｅ、６７ｅがそれぞれ、Ｚ方向外側に突出するように形成されている。
【００４７】
スイッチ基板６８は、図３に示すように、扁平な板状に形成されている。このスイッチ基板６８の前面（Ｘ１方向側の面）には、Ｘ１方向へ突出する突起状のボリューム操作部７０ａを有するボリューム７０が取り付けられている。また、スイッチ基板６８の前面には、イジェクトボタン１１の当接突起１１ａや、操作ボタン１２、１３の当接突起１２ｃ、１３ｃが当接する各種のスイッチ（図示省略）が取り付けられている。スイッチ基板６８は、後述の制御基板３４に電気的に接続されており、各種のスイッチによって（すなわち、操作ボタン１２、１３等を操作することで）、ディスク駆動装置１の所定の操作が可能となっている。また、スイッチ基板６８には、４本のネジ７２がそれぞれ挿通される挿通孔６８ａが４箇所に形成されている。さらに、スイッチ基板６８には、後述の固定ネジ４３のネジ部が挿通される挿通孔６８ｂが形成されている。
【００４８】
採光板６９は透明または半透明のプラスチック部材で略円盤状に形成されている。この採光板６９の中心には、ボリューム７０、つまみ１４の取付部１４ｃ、パネル本体６０の保持部６０ｍおよび固定ネジ４３が配置される開口孔６９ａが形成されている。
【００４９】
スイッチ基板６８は、スイッチ基板６８の前面とパネル本体６０の前面部６０ｂの後面との間に、イジェクトボタン１１、操作ボタン１２、１３、採光板６５、６６、保持体６７および採光板６９を挟み込んだ状態で、前面部６０ｂの４つのボス部６０ｉに４本のネジ７２によって固定されている。より具体的には、操作ボタン１２、１３のそれぞれの後面側から保持突起１２ｃ、１３ｃのそれぞれに採光板６５、６６の取付孔６５ａ、６６ａを挿通させた後の操作ボタン１２、１３をそれぞれ、保持孔６７ａ、６７ｂに保持した状態の保持体６７と、イジェクトボタン１１と、採光板６９とをスイッチ基板６８の前面と前面部６０ｂの後面との間に挟み込んだ状態で、スイッチ基板６８は、パネル本体６０に固定されている。なお、保持体６７は、パネル本体６０の図示を省略する保持体取付部に固定部６７ｅ、６７ｅが固定されることで、パネル本体６０に固定されている。
【００５０】
スイッチ基板６８がパネル本体６０に固定された状態では、採光板６９の開口孔６９ａに、パネル本体６０の保持部６０ｍの一部およびボリューム７０の一部が配置されている。また、この状態では、ボリューム７０のボリューム操作部７０ａの一部は、パネル本体６０の開口部６０ｈに配置されている。さらに、この状態では、保持部６０ｍの挿通孔６０ｍ１と、スイッチ基板６８の挿通孔６８ｂとが、Ｘ方向に連通するようになっており、保持部６０ｍの挿通孔６０ｍ１およびスイッチ基板６８の挿通孔６８ｂに固定ネジ４３のネジ部を挿通させることができるようになっている。さらにまた、この状態では、前面部６０ｂの前面には、イジェクトボタン１１および操作ボタン１２、１３がパネル本体６０の前面からわずかに突出している。また、この状態では、スイッチ基板６８は、開口部６０ｄのＹ２方向の側方に配置されるようになっている。
【００５１】
係合部材１８、１８はそれぞれ、後述の２本のレバー部材２５、２５と係合する係合片１８ａを有する略Ｌ型の平板状の部材である。各係合片１８ａは、図３に示すように、Ｙ方向外側に向かって直線状に形成されている。２つの係合部材１８、１８はそれぞれ、ネジ１９によって前面部６０ｂの裏面（Ｘ２方向側の面）に固定されている。より具体的には、係合部材１８の係合部１８ａが、前面部６０ｂの裏面と所定の間隔を保った状態で、かつ、前面部６０ｂの裏面とほぼ平行になるように、係合部材１８、１８はボス部６０ｋ、６０ｋに固定されている。
【００５２】
本体シャーシ１６は、図５に示すように、取付金具体１０を揺動（回転）可能に支持する支持部１９ａを有する第１シャーシ１９と、前面フレーム１７の固定部２０ａを有する第２シャーシ２０とを備えている。第１シャーシ１９と第２シャーシ２０とは、下側からこの順番で重ねた状態で固定されている。なお、図４では便宜上、第２シャーシ２０の図示は省略されている。
【００５３】
第１シャーシ１９は、図４に示すように、ＸＹ平面と平行に形成された略矩形状の底面部１９ｂと、底面部１９ｂのＹ方向両端からＺ方向へ直立する２つの側面部１９ｃ、１９ｃとを備えている。また、２つの側面部１９ｃのＸ２方向端側にはそれぞれ、側面部１９ｃの上端からＹ方向内側へ向かう第２シャーシ２０の載置面１９ｄが計２つ形成されている。
【００５４】
底面部１９ｂのＸ１方向端には、第２シャーシ２０の固定部２０ａとともに前面フレーム１７を固定するため、ＹＺ平面と平行でかつ上側に直立する２つの固定部１９ｅがＹ方向に離間した状態で形成されている。それぞれの固定部１９ｅには、前面フレーム１７と第１シャーシ１９とを固定するためのネジ２１が螺合されるネジ孔１９ｅ１と、前面フレーム１７と第１シャーシ１９との位置決めを行うための位置決め孔１９ｅ２とが形成されている。より具体的には、それぞれの固定部１９ｅのＹ方向内側に位置決め孔１９ｅ２が形成され、Ｙ方向外側にネジ孔１９ｅ１が形成されている。
【００５５】
２つの側面部１９ｃ、１９ｃはそれぞれ、底面部１９ｂのＸ１方向端からさらにＸ１方向へ突出するように形成されており、この突出した部分が、取付金具体１０を揺動可能に支持する支持部１９ａとなっている。図５に示すように、２つの支持部１９ａ、１９ａの先端側（すなわち、側面部１９ｃのＸ１方向端側）にはそれぞれ、取付金具体１０の揺動の中心となる段付ネジ２２が挿通される挿通孔１９ｆが形成されている。この段付ネジ２２は、図５に示すように、頭部２２ａとネジ部２２ｂとの間に、ネジ部２２ｂの外径よりも大径に形成された円柱状の段部２２ｃを備えており、段部２２ｃが挿通孔１９ｆの内周側に配置されるようになっている。なお、段付ネジ２２のネジ部２２ｂは、取付金具体１０に螺合されるようになっている。
【００５６】
第２シャーシ２０は、図５に示すように、２つの側面部１９ｃ、１９ｃのＹ方向の間隔とほぼ同じ間隔で、かつ、ＺＸ平面と平行に形成された２つの側面部２０ｂ、２０ｂと、Ｘ２方向端側で２つの側面部２０ｂ、２０ｂの下端をつなぐように形成された連結部２０ｃを備えている。なお、２つの側面部２０ｂ、２０ｂの間に、図２に示す地図ディスク駆動機構６や音楽ディスク駆動機構７が配設されるようになっている。
【００５７】
図５に示すように、２つの側面部２０ｂ、２０ｂのＸ１方向端は、支持部１９ａよりもＸ２方向側に位置している。また、２つの側面部２０ｂ、２０ｂのＸ１方向端でかつ上端側にはそれぞれ、前面フレーム１７の固定部２０ａが形成されている。より具体的には、２つの固定部２０ａ、２０ａはそれぞれＹＺ平面と平行に形成されている。それぞれの固定部２０ａには、前面フレーム１７と第２シャーシ２０とを固定するためのネジ２３が螺合されるネジ孔２０ａ１が形成されている。また、連結部２０ｃは、ＸＹ平面と平行に形成されており、この連結部２０ｃが第１シャーシ１９の載置面１９ｄに載置されている。
【００５８】
前面フレーム１７は、図５に示すように、ＹＺ平面と平行に形成された矩形状の後面部１７ａと、後面部１７ａの４辺からＸ１方向（前面側）に向かって、かつ、後面部１７ａに対して垂直に形成された４つの側面部１７ｂとを備えた略箱状に形成されている。
【００５９】
図５に示すように、後面部１７ａの中心部には、略矩形状の大きな開口部１７ｃが形成されている。この開口部１７ｃの上側には、ディスク挿入孔５ａから挿入、排出される音楽ディスク３が通過する開口部１７ｄが形成されている。この開口部１７ｄは、Ｙ方向を長手方向とする扁平な細長状の開口となっている。後面部１７ａの下端側における開口部１７ｃのＹ方向両側には、図４に示すような状態で２つの支持部１９ａ、１９ａが挿通される２つの開口部１７ｅ、１７ｅが形成されている。２つの開口部１７ｅ、１７ｅは、Ｚ方向を長手方向とする扁平な細長状の開口となっている。
【００６０】
開口部１７ｄのＹ方向両側には、取付金具体１０を前面フレーム１７に固定するためのネジ２４が螺合される２つのネジ孔１７ｆ、１７ｆが形成されている。また、開口部１７ｃのＹ方向両側でかつ２つの開口部１７ｅ、１７ｅの上側には、前面フレーム１７と第２シャーシ２０とを固定するためのネジ２３が挿通される２つの円形状の挿通孔１７ｇ、１７ｇが形成されている。
【００６１】
開口部１７ｃの下端であって、後面部１７ａの図示下側の縁部１７ｈには、第１シャーシ１９に形成された固定部１９ｅと当接して、第１シャーシ１９に前面フレーム１７を固定するための２つの固定部１７ｉ、１７ｉが、２つの固定部１９ｅ、１９ｅの間隔と同じ間隔でＹ方向に離間した状態で、かつ、ＹＺ平面と平行に形成されている。より具体的には、２つの固定部１７ｉ、１７ｉは、縁部１７ｈから直立するようにＸ２方向に折り曲げられた後さらに、ＹＺ平面と平行になるように折り曲げられて形成されている。２つの固定部１７ｉ、１７ｉにはそれぞれ、ネジ２１が挿通される挿通孔１７ｉ１と、固定部１９ｅの位置決め孔１９ｅ２に嵌合される嵌合突起１７ｉ２とが形成されている。より具体的には、それぞれの固定部１７ｉのＹ方向内側に嵌合突起１７ｉ２が形成され、Ｙ方向外側に挿通孔１７ｉ１が形成されている。なお、嵌合突起１７ｉ２はＸ２方向へ突出するように形成されている。
【００６２】
開口部１７ｃのＹ１方向端であって、後面部１７ａのＹ１方向側の縁部１７ｊの上端側には、２つの係合部材１８、１８のうち、Ｙ１方向に配置される一方の係合部材１８と係合する一方のレバー部材２５が揺動可能（回転可能）に取り付けられる取付部１７ｋが形成されている。より具体的には、取付部１７ｋは、ＺＸ平面と平行でかつ、Ｙ１方向側に形成された挿通孔１７ｇのＹ２方向の側方からＸ２方向へ直立するように形成されている。本形態では、取付部１７ｋは、図５に示すように、Ｙ方向から見て略Ｌ型に形成されている。また、取付部１７ｋには、レバー部材２５の取り付けられた軸２６が挿通される挿通孔１７ｋ１が形成されている。なお、開口部１７ｃにおける取付部１７ｋに隣接する部分は、レバー部材２５が配設されるレバー配置部１７ｃ１となっている。
【００６３】
また、後面部１７ａのＹ２方向側でかつ上端側には、略矩形状の開口部１７ｍが形成されている。この開口部１７ｍのＹ２方向端に形成される縁部１７ｎには、２つの係合部材１８、１８のうち、Ｙ１方向に配置される他方の係合部材１８と係合する他方のレバー部材２５が揺動可能（回転可能）に取り付けられる取付部１７ｐが、取付部１７ｋと同様に形成されている。より具体的には、取付部１７ｐは、ＺＸ平面と平行でかつ縁部１７ｎからＸ２方向へ直立するように形成されている。本形態では、取付部１７ｐは、図５に示すように、Ｙ方向から見て略Ｌ型に形成されている。また、取付部１７ｐには、レバー部材２５の取り付けられた軸２６が挿通される挿通孔１７ｐ１が形成されている。なお、開口部１７ｍには、レバー部材２５が配設されるようになっている。
【００６４】
取付部１７ｋのＹ方向内側には、図８に示すように、レバー部材２５を所定の方向へ付勢するため、取付部１７ｋとレバー部材２５との間に配置されるねじりコイルバネ２７の一端が当接するとともに、レバー部材２５と係合部材１８との係合が解除された際のレバー部材２５の揺動角度（回転角度）を規制するストッパ部１７ｒが形成されている。同様に、取付部１７ｐのＹ方向内側にも、レバー部材２５を所定の方向へ付勢するため、取付部１７ｐとレバー部材２５との間に配置されるねじりコイルバネ２７の一端が当接するとともに、レバー部材２５の揺動角度を規制するストッパ部１７ｒが形成されている。２つのストッパ部１７ｒ、１７ｒはそれぞれ、取付部１７ｋおよび取付部１７ｐからＹ方向内側に突出するように形成されている。また、ストッパ部１７ｒは、図８に示すように、その下端にねじりコイルバネ２７の一端が当接し、その上端で、レバー部材２５の揺動角度を規制するように構成されている。なお、図５では、便宜上、ストッパ部１７ｒの図示を省略している。
【００６５】
開口部１７ｃのＺ方向の略中央位置は、Ｙ方向両側へさらに広がるように形成されており、この部分が、固定金具体１０を構成する後述のストッパアーム３７が配設されるアーム配置部１７ｃ２となっている。
【００６６】
本体シャーシ１６と前面フレーム１７との間には、図５に示すように、前面フレーム１７の開口部１７ｃを後面側（Ｘ２方向側）から覆う略矩形状のカバー部材２８が設けられている。このカバー部材２８は、Ｙ方向では、アーム配置部１７ｃ２よりもＹ方向の内側の開口部１７ｃを覆い、Ｚ方向では、取付部１７ｋおよび取付部１７ｐの下側でかつ、２つの固定部１７ｉ、１７ｉよりも上側を覆うようになっている。カバー部材２８の上端側には、地図ディスク駆動機構６に対して挿入、排出される地図ディスク２が通過する開口部２８ａが形成されている。また、カバー部材２８には、開口部２８ａの下側に、Ｘ２方向へ窪み、その底面がＸ２方向へ突出した矩形状の凹部２８ｂが形成されている。なお、図４では、便宜上、カバー部材２８の図示を省略している。
【００６７】
前面フレーム１７と本体シャーシ１６とは、第１シャーシ１９の２つの固定部１９ｅ、１９ｅと前面フレーム１７の２つの固定部１７ｉ、１７ｉが当接し、かつ、第２シャーシ２０の２つの固定部２０ａ、２０ａと前面フレーム１７の後面部１７ａが当接した状態で、４本のネジ２１、２１、２３、２３によって固定されている。この固定状態では、２つの支持部１９ａ、１９ａが２つの開口部１７ｅ、１７ｅのそれぞれに挿通されている。また、取付部１７ｋおよび取付部１７ｐは、Ｙ方向で、第２シャーシ２０の２つの側面部２０ｂ、２０ｂの間に配置されるようになっている。さらに、２つの側面部２０ｂ、２０ｂのそれぞれのＹ方向の外側に各アーム配置部１７ｃ２が配置されるようになっている。
【００６８】
レバー部材２５は、図５等に示すように、Ｙ方向を厚さ方向とするとともに、Ｙ方向から見て略Ｌ形状に形成された平板状の部材である。レバー部材２５には、図５に示す状態で、Ｘ１方向の先端部に、係合部材１８の係合片１８ａ（図３および図７参照）に係合する係合部２５ａが形成されている。係合部２５ａは、図５に示す状態で、下側に突出するように形成されている。より具体的には、係合部２５ａは、図７および図８に示すように、Ｙ方向から見て２つの斜辺２５ａ１、２５ａ２を有する略三角形状に形成されている。
【００６９】
軸２６は、図５に示す状態で、レバー部材２５の下端側の先端部にカシメ等の固定手段で固定されている。この軸２６の先端側には、軸２６を挿通孔１７ｋ１や挿通孔１７ｐ１に取り付けるためのＥ形止め輪２９が固定される円環状に窪む溝部（図示省略）が形成されている。
【００７０】
ねじりコイルバネ２７は、図８等に示すように、その一端がストッパ部１７ｒに当接するとともに、その他端がレバー部材２５のＸ２方向端面に引っ掛けられた状態で軸２６に取り付けられている。より具体的には、ねじりコイルバネ２７は、その内周側が軸２６に挿通された状態で軸２６に取り付けられている。このねじりコイルバネ２７は、軸２６を中心とした円周方向にレバー部材２５を付勢するように構成されている。また、ねじりコイルバネ２７は、軸２６の軸方向（Ｙ方向）に圧縮可能に構成されており、レバー部材２５を軸方向に付勢するように構成されている。
【００７１】
２つのレバー部材２５、２５はそれぞれ、取付部１７ｋ、１７ｐのＹ方向内側に、軸２６を中心とする揺動が可能となるように取り付けられている。より具体的には、２つのレバー部材２５、２５のそれぞれに固定された軸２６がそれぞれＹ方向内側から外側に向かって挿通孔１７ｋ１、１７ｐ１に挿通された状態で、２つのレバー部材２５、２５はそれぞれ、取付部１７ｋ、１７ｐに取り付けられている。また、挿通孔１７ｋ１、１７ｐ１に挿通されて、取付部１７ｋ、１７ｐのＹ方向外側に位置する２つの軸２６、２６の先端部のそれぞれには、Ｅ形止め輪２９が固定されている。この状態では、２つのレバー部材２５、２５のそれぞれと、取付部１７ｋ、１７ｐとの間には、ねじりコイルバネ２７が軸２６に挿通された状態、かつ、軸方向（Ｙ方向）へ圧縮された状態で配設されている。なお、本形態では、係合部材１８、レバー部材２５、軸２６、ねじりコイルバネ２７およびＥ形止め輪２９によって、後述の固定ネジ４３とともに前面パネル５を筐体４に対して固定するパネル固定機構が構成されている。
【００７２】
２つのレバー部材２５、２５がそれぞれ、取付部１７ｋ、１７ｐに取り付けられた状態では、２つのレバー部材２５、２５はそれぞれ、図８に示すように、ねじりコイルバネ２７によって円周方向では時計方向に付勢されている。また、２つのレバー部材２５、２５はそれぞれ、Ｙ方向では、Ｙ方向内側に付勢されている。
【００７３】
取付金具体１０は、図６に示すように、ディスプレイ９の他に、ディスプレイ９を固定する取付金具３１と、タッチパネルで構成されたスイッチ体３２と、スイッチ体３２をディスプレイ９に固定する固定ホルダ３３と、ディスク駆動装置１の制御の一部を行う制御基板３４と、制御基板３４を保護するカバー部材３５とを備えている。この取付金具体１０では、固定ホルダ３３、スイッチ体３２、ディスプレイ９、取付金具３１、制御基板３４およびカバー部材３５が前面側（Ｘ１方向側）からこの順番で配設されている。また、取付金具３１と制御基板３４との間には、制御基板３４上に配置された素子（図示省略）の短絡を防止するための絶縁シート３６が配設されている。
【００７４】
取付金具３１は、図６に示すように、ＹＺ平面と平行に形成された略矩形状の後面部３１ａと、後面部３１ａの上端からＸ１方向に向かって直立するように形成された上面部３１ｂと、後面部３１ａのＹ方向両端からＸ１方向に向かって直立するように形成された２つの側面部３１ｃ、３１ｃとを備えている。また、取付金具３１には、取付金具体１０を前面側（Ｘ１方向側）に倒す際に（図２参照）、取付金具体１０の下端側を中心とした取付金具体１０の回転を規制して、取付金具体１０の損傷を防止するための２本のストッパアーム３７、３７が取り付けられている。
【００７５】
図６に示すように、後面部３１ａの上端側でかつＹ方向の中央位置には、ディスク挿入孔５ａから挿入、排出される音楽ディスク３が通過する開口部３１ｄが形成されている。この開口部３１ｄは、図６に示すように、Ｙ方向の幅が広く形成された矩形状の第１矩形部３１ｄ１と、第１矩形部３１ｄ１の上側に形成されるとともに、第１矩形部３１ｄ１のＹ方向の幅よりもＹ方向の幅が狭く形成された矩形状の第２矩形部３１ｄ２とから構成されている。
【００７６】
開口部３１ｄのＹ方向両側には、レバー部材２５を配設するため矩形状に形成された２つの開口部３１ｅ、３１ｅが形成されている。開口部３１ｄの第２矩形部３１ｄ２と２つの開口部３１ｅとの間にはそれぞれ、取付金具体１０を前面フレーム１７に固定するためのネジ２４が挿通される２つの挿通孔３１ｆ、３１ｆが形成されている。
【００７７】
２つの開口部３１ｅ、３１ｅのうち、Ｙ１方向側に形成された開口部３１ｅの下側には、略矩形状の開口部３１ｇが形成されている。開口部３１ｇのＹ１方向端に形成された縁部には、２本のストッパアーム３７、３７のうち一方のストッパアーム３７を取り付けるための取付部３１ｈが形成されている。より具体的には、取付部３１ｈは、ＺＸ平面と平行でかつＸ２方向へ直立するように形成されている。取付部３１ｈには、一方のストッパアーム３７を固定するためのネジ３８が挿通される挿通孔３１ｈ１が形成されている。
【００７８】
開口部３１ｇのＹ２方向端に形成された縁部には、ディスプレイ９を取付金具３１に固定するための固定部３１ｉと、制御基板３４およびカバー部材３５を取付金具３１に固定するための固定部３１ｊとが、上方向からこの順番でかつ、ＹＺ平面と平行に形成されている。より具体的には、固定部３１ｉ、３１ｊは、開口部３１ｇのＹ２方向端に形成された縁部から直立するようにＸ２方向に折り曲げられた後さらに、ＹＺ平面と平行になるように折り曲げられて形成されている。固定部３１ｉには、ディスプレイ９を取付金具３１に固定するための４本のネジ３９のうちの１本を挿通するための円形状の挿通孔３１ｉ１が形成されている。また、固定部３１ｊには、制御基板３４およびカバー部材３５を取付金具３１に固定するための２本のネジ４０、４０のうちの１本が螺合されるネジ孔３１ｊ１が形成されている。
【００７９】
また、２つの開口部３１ｅ、３１ｅのうち、Ｙ２方向側に形成された開口部３１ｅの下側には、略矩形状の開口部３１ｋが開口部３１ｄの第１矩形部３１ｄ１とつながるように形成されている。開口部３１ｋのＹ２方向端に形成された縁部には、２本のストッパアーム３７、３７のうち他方のストッパアーム３７を取り付けるための取付部３１ｍが形成されている。より具体的には、取付部３１ｍは、ＺＸ平面と平行でかつＸ２方向へ直立するように形成されている。取付部３１ｍには、他方のストッパアーム３７を固定するためのネジ３８が挿通される挿通孔３１ｍ１が形成されている。
【００８０】
開口部３１ｋのＹ１方向端に形成された縁部には、ディスプレイ９を取付金具３１に固定するための固定部３１ｎと、制御基板３４およびカバー部材３５を取付金具３１に固定するための固定部３１ｐとが上方向からこの順番でかつ、ＹＺ平面と平行に形成されている。より具体的には、固定部３１ｎ、３１ｐは、開口部３１ｋのＹ１方向端に形成された縁部から直立するようにＸ２方向に折り曲げられた後さらに、ＹＺ平面と平行になるように折り曲げられて形成されている。固定部３１ｎには、ディスプレイ９を取付金具３１に固定するための４本のネジ３９のうちの１本を挿通するための円形状の挿通孔３１ｎ１が形成され、固定部３１ｐには、制御基板３４およびカバー部材３５を取付金具３１に固定するための２本のネジ４０、４０のうちの１本が螺合されるネジ孔３１ｐ１が形成されている。
【００８１】
後面部３１ａの下端には、ディスプレイ９を取付金具３１に固定するための２つの固定部３１ｒ、３１ｓと、制御基板３４を取付金具３１に固定するための２つの固定部３１ｔ、３１ｕとがそれぞれ、ＹＺ平面と平行に形成されている。固定部３１ｒ、３１ｔは、Ｙ１方向側に形成され、固定部３１ｓ、３１ｕがＹ２方向側に形成されている。より具体的には、固定部３１ｒ、３１ｓ、３１ｔ、３１ｕは、後面部３１ａの下端側でＸ２方向に直立するように折り曲げられた後さらに、ＹＺ平面と平行になるように折り曲げられて形成されている。固定部３１ｒ、３１ｓにはそれぞれ、ネジ３９を挿通するための円形状の挿通孔３１ｒ１、３１ｓ１が形成され、固定部３１ｕには、制御基板３４を取付金具３１に固定するための２本のネジ４１、４１のうちの１本が螺合されるネジ孔３１ｕ１が形成されている。なお、便宜上、図示は省略するが、固定部３１ｔにもネジ４１が螺合されるネジ孔が形成されている。
【００８２】
後面部３１ａの前面（Ｘ１方向側の面）には、図６および図９に示すように、前面パネル５を取付金具３１に固定するための固定部材としての固定ネジ４３が螺合されるボス４４がカシメ等の固定手段によって固定されている。本形態では、ボス４４は、後面部３１ａのＹ２方向端側でかつ下端側、すなわち、前面パネル５の開口部５ｈに対応する位置に固定されている。ボス４４は、図９等に示すように段付の円柱形状に形成され、その先端側には、固定ネジ４３が螺合されるメネジ部４４ａが形成されている。なお、前面パネル５は、取付金具体１０が本体シャーシ１６および前面フレーム１７に固定された状態で、固定ネジ４３によって、取付金具３１に固定されるようになっている。すなわち、固定ネジ４３は、筐体４に対して前面パネル５を固定するためのネジとなっている。
【００８３】
２つの側面部３１ｃ、３１ｃの下端側にはそれぞれ、段付ネジ２２のネジ部２２ｂが螺合されるネジ部３１ｃ１が形成されている。また、図６に示すように、ネジ部３１ｃ１が形成される２つの側面部３１ｃ、３１ｃの下端側はともに、第１シャーシ１９の２つの側面部１９ｃ、１９ｃ間に配置されるように、Ｙ方向内側へ向かってへこんでいる。なお、図６では、便宜上、Ｙ２方向の側面部３１ｃのネジ孔３１ｃ１の図示は省略しているが、Ｙ１方向の側面部３１ｃのネジ孔３１ｃ１と同様のネジ孔がＹ２方向の側面部３１ｃにも形成されている。
【００８４】
ストッパアーム３７は、Ｙ方向を厚さ方向とするとともに、Ｙ方向から見て略円弧状に形成された平板状の部材である。２本のストッパアーム３７、３７の一端（図６ではＸ１方向側の端部）はそれぞれ、取付金具３１の取付部３１ｈ、３１ｍにネジ３８によって固定されるようになっている。また、ストッパアーム３７の他端には、Ｙ方向の外側に広がるように曲げられて形成されたストッパ部３７ａが形成されている。このストッパ部３７ａは、取付金具体１０を前面側（Ｘ１方向側）に倒したときに、前面フレーム１７の後面部１７ａの後面（Ｘ２方向の面）に当接して、取付金具体１０の回転を規制するようになっている。なお、取付金具３１に固定された２本のストッパアーム３７、３７のストッパ部３７ａのＹ方向外側端の間隔は、第１シャーシ１９の２つの側面部１９ｃのＹ方向内側面の間隔および第２シャーシ２０の２つの側面部２０ｂのＹ方向内側面の間隔よりも小さくなっている。
【００８５】
ディスプレイ９は、上述のように液晶ディスプレイであり、図６に示すように扁平な直方体状に形成されている。このディスプレイ９は、前面（Ｘ１方向の面）が表示面となっている。ディスプレイ９の後面（Ｘ２方向の面）の４隅の近傍にはそれぞれ、ネジ３９が螺合されるネジ孔を有する円筒状のボス部４５が形成されている。すなわち、ディスプレイ９の後面には、４つのボス部４５が形成されている。また、ディスプレイ９は、取付金具３１に固定された状態で、取付金具３１の前面に固定されたボス４４および操作基板と干渉しない大きさに形成されている。また、取付金具３１の開口部３１ｄを塞がない大きさに形成されている。
【００８６】
スイッチ体３２は、上述のようにタッチパネルで構成されている。そして、前面側からこのスイッチ体３２に触れることで、ディスプレイ９に表示されたディスク駆動装置１の様々な機能を作用させることができるようになっている。
【００８７】
固定ホルダ３３は、ＹＺ平面と平行に形成された矩形状の前面部３３ａと、前面部３３ａの４辺からＸ２方向（後面側）に向かって直立するように形成された４つの側面部３３ｂとを備えている。前面部３３ａには、前面側からディスプレイ９の表示面を視認できるように大きな矩形状の開口部３３ｃが形成されている。また、Ｘ方向から見て、前面部３３ａは、ディスプレイ９およびスイッチ体３２の外形よりも若干大きな矩形状に形成されている。そして、前面部３３ａと４つの側面部３３ｂによって形成される空間にスイッチ体３２が収納された状態で、４つの側面部３３ｂがディスプレイ９の外周側に嵌まり込んで、スイッチ体３２と固定ホルダ３３とがディスプレイ９に固定されるようになっている。
【００８８】
制御基板３４は、図６に示すように、扁平な略矩形状に形成され、そのＹ方向の幅は、２つのストッパアーム３７、３７のＹ方向の間隔より小さくなっている。制御基板３４には、２本のネジ４０、４０および２本のネジ４１、４１がそれぞれ挿通される４つの挿通孔３４ａが形成されている。絶縁シート３６は、制御基板３４とほぼ同様に形状に形成され、制御基板３４の４つの挿通孔３４ａに対応する位置に４つの挿通孔（図示省略）が形成されている。
【００８９】
カバー部材３５は、図６に示すように、制御基板３４の後面（Ｘ２方向の面）に配設される素子との干渉を防止するため、カバー部材３５を取付金具３１へ固定するための２つの固定部３５ａ、３５ｂがＸ１方向へ突出するように形成されている。より具体的には、固定部３５ａ、３５ｂは、カバー部材３５の上端側で、かつ、ＹＺ平面と平行になるように形成されている。固定部３５ａ、３５ｂには、２本のネジ４０、４０がそれぞれ挿通される挿通孔３５ａ１、３５ｂ１が形成されている。このカバー部材３５には、制御基板３４の後面に配設される素子との干渉を防止するため、制御基板３４の周縁に当接する複数の当接部３５ｃがＸ１方向に向かって直立するように形成されている。また、カバー部材３５のＹ方向の幅は、２つのストッパアーム３７、３７のＹ方向の間隔より小さくなっている。
【００９０】
スイッチ体３２および固定ホルダ３３が固定されたディスプレイ９が４本のネジ３９によって取付金具３１に固定され、また、制御基板３４、カバー部材３５および絶縁シート３６が２本のネジ４０、４０や２本のネジ４１、４１によって取付金具３１に固定され、さらに、２本のストッパアーム３７、３７がそれぞれネジ３８によって取付金具３１に固定されて取付金具体１０となる。
【００９１】
図４に示すように、この取付金具体１０を構成する取付金具３１の２つの側面部３１ｃ、３１ｃの下端側が第１シャーシ１９の２つの側面部１９ｃ間に配置された状態で、段付ネジ２２によって、取付金具体１０は、第１シャーシ１９の支持部１９ａに、この支持部１９ａを中心として揺動可能に取り付けられている。また、ネジ２４によって取付金具体１０の上端側は、前面フレーム１７に固定されている。この状態では、２本のストッパアーム３７、３７の一部がそれぞれ、前面フレーム１７のアーム配置部１７ｃ２に配置されている。また、２本のストッパアーム３７、３７の残りの部分が、第１シャーシ１９の２つの側面部１９ｃ、１９ｃ間および第２シャーシ２０の２つの側面部２０ｂ、２０ｂ間に配置されている。さらに、この状態では、ディスプレイ９や取付金具３１の後面部３１ａ等によって、カバー部材２８に形成された開口部２８ａは前面側から見えない状態になっている。
【００９２】
段付ネジ２２およびネジ２４によって、本体シャーシ１６および前面フレーム１７を介して筐体４に取付金具体１０が固定された状態では、前面フレーム１７の取付部１７ｋ、１７ｐに軸２６を介して取り付けられた２本のレバー部材２５は、取付金具３１の２つの開口部３１ｅ、３１ｅにそれぞれ挿通されている。また、レバー部材２５の係合部２５ａは、係合部材１８の係合片１８ａと係合可能となるように、取付金具体１０の前面から突出している。
【００９３】
前面パネル５は、係合部材１８やレバー部材２５等から構成されるパネル固定機構と、固定ネジ４３とによって、筐体４に固定された取付金具体１０に固定されている。すなわち、取付金具体１０の前面から突出するレバー部材２５の係合部２５ａと、係合部材１８の係合片１８ａとは図７（Ｂ）に示すように係合することで、前面パネル５の上端側が取付金具体１０に固定されている。また、固定ネジ４３がボス４４に螺合されることで、前面パネル５の下端側が取付金具体１０に固定されている。より具体的には、図３に示すように、保持部６０ｍの挿通孔６０ｍ１およびスイッチ基板６８の挿通孔６８ｂに挿通された固定ネジ４３によって、保持部６０ｍとボス４４とがスイッチ基板６８を介して固定されることで、前面パネル５の下端側が取付金具体１０に固定されている。
【００９４】
パネル本体６０の開口部６０ｈに配置されたボリューム７０のボリューム操作部７０ａにつまみ１４が取り付けられ、前面パネル５の前面側につまみ１４が配設されると、固定ネジ４３は前面パネル５の前面側から見えないようになっている。すなわち、固定ネジ４３は、通常は、つまみ１４の後面側に配置されている。また、つまみ１４を前面パネル５の前面側から取り外すと、固定ネジ４３の頭部が前面パネル５の前面側に露出するようになっている。そのため、固定ネジ４３は、つまみ１４を取り外した状態で、ボス４４から取外しができるようになっている。
【００９５】
（係合解除治具の構成）
図１０は、本発明の実施の形態にかかる係合解除治具５０を示す斜視図である。
【００９６】
係合部材１８とレバー部材２５との係合は、図１０に示す係合解除治具５０によって行われる。係合解除治具５０は、図１０に示すように、ケース体５１と、ケース体５１に保持された２本のワイヤー部材５２、５２とを備えている。
【００９７】
ケース体５１は、図１０に示すようにケース本体部５３とケース先端部５４とから構成されている。ケース本体部５３は、２つのケース半体５５を図示上下方向から組み合わせて構成されている。このケース本体部５３は、上面から見て長方形状に形成された内周壁部５３ａと、内周壁部５３ａよりも大きな長方形状に形成された外周壁部５３ｂと、内周壁部５３ａと外周壁部５３ｂとによって形成される空間を図示上下方向から塞ぐ上面部５３ｃと下面部５３ｄとを備えた中空状に形成されている。内周壁部５３ａのうち長手方向に形成された２つの壁部にはそれぞれ、保持された２本のワイヤー部材５２、５２が長手方向に移動可能となるように、長孔５３ａ１が形成されている。なお、図示手前側に形成される長孔５３ａ１については、図示を省略している。
【００９８】
ケース先端部５４は、中空の直方体状に形成されており、外周壁部５３ｂのうち長手方向に形成された１つの壁部に固定されている。このケース先端部５４は、前面パネル５のディスク挿入孔５ａに挿入可能となるように形成されている。より具体的には、ケース先端部５４の長手方向の幅は、ディスク挿入孔５ａの長手方向の幅よりも小さく形成され、ケース先端部５４の高さは、ディスク挿入孔５ａの高さよりも低く形成されている。先端部５４の短手方向に形成された２つの側面５４ａ、５４ａにはそれぞれ、ワイヤー部材５２の先端が通過できる大きさの円形の通過孔５４ａ１が形成されている。
【００９９】
ワイヤー部材５２は、図１０に示すように、基端部５２ａと、基端部５２ａに対してほぼ直角に折り曲げられた中間部５２ｂと、中間部５２ｂに対してほぼ直角でかつ基端部５２ａに対してほぼ平行に折り曲げられた先端部５２ｃとから構成されている。図１０に示すように、２本のワイヤー部材５２の先端部５２ｃは、その先端をＹ方向外側に向けた状態で、ケース先端部５４の内部に配置されており、先端部５２ｃの先端は、通過孔５４ａ１を通過してケース先端部５４の外側へ出没可能となっている。２本のワイヤー部材５２、５２の中間部５２ｂはそれぞれ、２つの長孔５３ａ１に挿通され、そのほぼ中間位置が、内周壁部５３ａの内周側に露出されるようになっている。そして、この露出された２つの中間部５２ｂの間隔を広げたり、狭めたりすることで、通過孔５４ａ１から先端部５２ｃの先端を出没させることができるようになっている。また、２本のワイヤー部材５２の基端部５２ａは、外周壁部５３ｂのうちケース先端部５４が固定されない長手方向の壁部と、この壁部に対向する内周壁部５３ａの長手方向の壁部との間に配置されている。
【０１００】
（地図ディスクの交換動作）
図１１は、本発明の実施の形態にかかるディスク駆動装置１における地図ディスク２の交換動作の前半部分を説明する動作説明図であり、（Ａ）は、前面パネル５からつまみ１４を取り外した状態、（Ｂ）は、係合部材１８とレバー部材２５との係合状態を解除した状態、（Ｃ）は、筐体４から前面パネル５を取り外した状態を示す。図１２は、本発明の実施の形態にかかるディスク駆動装置１における地図ディスク２の交換動作の後半部分を説明する動作説明図であり、（Ａ）は、取付金具体１０が露出した状態、（Ｂ）は、取付金具体１０が前面側に倒れた状態を示す。
【０１０１】
以下、ディスク駆動装置１における地図ディスク２の交換動作について説明する。なお、図１１、１２は、地図ディスク２の交換動作を説明する動作説明図であるため、詳細な構成の図示は省略している。
【０１０２】
図１に示すディスク駆動装置１において、地図ディスク２の交換が必要になった場合には、図１１（Ａ）に示すように、まず、前面パネル５からつまみ１４を取り外す。より具体的には、ボリューム操作部７０ａに挿通されたつまみ１４を取り外す。つまみ１４を取り外すと、ディスク駆動装置１の前面側に固定ネジ４３およびボリューム操作部７０ａが露出する。この露出した固定ネジ４３をドライバ等によって取り外す。
【０１０３】
その後、図１１（Ｂ）に示すように、係合解除治具５０のケース先端部５４を前面パネル５のディスク挿入孔５ａに挿入する。その状態で、２本ワイヤー部材５２、５２の中間部５２ｂをそれぞれＹ方向外側に向かって移動させて、２つの中間部５２ｂの間隔を広げる。これによって、ケース先端部５４の通過孔５４ａから２本のワイヤー部材５２、５２の先端部が突出する。なお、図１１（Ｂ）では、便宜上、係合解除治具５０のケース体５１の図示を省略している。
【０１０４】
突出した２本のワイヤー部材５２、５２の先端部はそれぞれ、レバー部材２５のＹ方向内側の側面に当接する。そして、さらに、２つの中間部５２ｂの間隔を広げ、ねじりコイルバネ２７によってＹ方向内側に付勢されたレバー部材２５をＹ方向外側へ押し広げる。レバー部材２５がＹ方向外側へ押し広げられると、係合部材１８の係合片１８ａからレバー部材２５の係合部２５ａが外れ、係合部材１８とレバー部材２５とによる前面パネル５の筐体４に対する固定状態が解除される。係合部材１８との係合が解除されたレバー部材２５は前面フレーム１７のストッパ部１７ｒの上端に当接するまで、ねじりコイルバネ２７の付勢力で揺動する（図８参照）。また、ねじりコイルバネ２７によるＹ方向の付勢力によって、レバー部材２５は、係合部材１８のＹ方向外側に端面に当接する。
【０１０５】
図１１（Ｂ）に示すように、係合部材１８とレバー部材２５とによる前面パネル５の筐体４に対する固定状態が解除された状態で、係合解除治具５０を前面側に引いて前面パネル５の上端側を、筐体４（より具体的には、取付金具体１０）から取り外す。
【０１０６】
固定ネジ４３を外し、係合部材１８とレバー部材２５との係合を解除すると、図１１（Ｃ）に示すように、筐体４の前面側からの前面パネル５の取外しが可能になる。そして、前面パネル５を取り外すと、図１２（Ａ）に示すように、取付金具体１０が前面側に露出する。その後、取付金具体１０を筐体４（より具体的には前面フレーム１７）に固定するネジ２４をドライバ等によって取り外す。その状態で、取付金具体１０の上端側を前面側（Ｘ１方向）に引っ張って、取付金具体１０をその下端側（より具体的には、段付ネジ２２）を中心に回転させる。取付金具体１０は、図１２（Ｂ）に示すように、ストッパアーム３７のストッパ部３７ａが前面フレーム１７の後面部１７ａの後面に当接するまで、前面側に倒れる。
【０１０７】
取付金具体１０を前面側に倒すと、図１２（Ｂ）に示すように、前面フレーム１７およびカバー部材２８が露出する。また、カバー部材２８の開口部２８ａの奥側に地図ディスク駆動機構６のディスク挿入孔６ａが露出する。この状態で所定の操作を行って、地図ディスク２を交換する。
【０１０８】
地図ディスク２を交換した後は、取付金具体１０をその下端側を中心に後面側に回転させ、ネジ２４によって、取付金具体１０を筐体４（具体的には、前面フレーム１７）に固定する。その後、前面パネル５をＸ２方向に押し込んで、レバー部材２５を係合部材１８に係合させる。なお、レバー部材２５と係合部材１８との係合は、図７（Ａ）に示すように、レバー部材２５が係合部材１８に係合するまで、レバー部材２５の２つの斜辺２５ａ１、２５ａ２のうち、Ｘ１方向側に形成された斜面２５ａ１が係合片１８ａの上面に摺接し、その後、係合部２５ａが係合片１８ａの上面を乗り越えると、Ｘ２方向側に形成された斜面２５ａ２と係合片１８ａとが係合するようになっている。
【０１０９】
レバー部材２５を係合部材１８に係合させた後、固定ネジ４３で前面パネル５を筐体４（より具体的には、取付金具体１０）に固定する。その後、つまみ１４を取り付けて地図ディスク２の交換作業が完了する。
【０１１０】
（本形態の主な効果）
以上説明したように、本形態のディスク駆動装置１では、固定ネジ４３が前面パネル５の前面側に配設されたつまみ１４の後面側に配置されている。また、つまみ１４は、筐体４の前面側に前面パネル５が固定された状態で前面パネル５から取外しが可能になっている。さらに、固定ネジ４３とともに前面パネル５を筐体４に固定するため、係合部材１８やレバー部材２５等から構成されるパネル固定機構を備え、前面パネル５のディスク挿入孔５ａから係合解除治具５０を挿入して、係合部材１８とレバー部材２５との係合が解除できるように構成されている。
【０１１１】
そのため、前面パネル５を筐体４に固定する固定ネジ４３は、つまみ１４を取り外した状態で取外しが可能になる。したがって、固定ネジ４３を取り外して、係合部材１８とレバー部材２５との係合を解除することで、前面パネル５を筐体４から取り外すことができる。その結果、前面パネル５を筐体４の前方にそれほど突出させることなく、前面パネル５を取り外し、前面パネル５の後面側に配置された地図ディスク２の交換を行うことが可能になる。しかも、固定ネジ４３を取り外し、係合部材１８とレバー部材２５との係合を解除するという簡易な構成で、前面パネル５の後面側に配置された地図ディスク２の交換を行うことが可能になる。また、固定ネジ４３は、通常は、つまみ１４の後面側に配置され、前面パネル５の前面側からは見えないため、ディスク駆動装置１のデザイン上の美観が損なわれるのを防止することができる。また、パネル固定機構も前面パネル５の後面側に配置されているため、ディスク駆動装置１のデザイン上の美観が損なわれるのを防止することができる。
【０１１２】
本形態では、係合部材１８とレバー部材２５との係合の解除は、前面パネル５のディスク挿入孔５ａから係合解除治具５０を挿入することで簡単に行うことができる。そのため、係合部材１８やレバー部材２５等から構成されるパネル固定機構を設けても、簡易な構成で、筐体４の前面側から前面パネル５を取り外すことができる。
【０１１３】
特に、本形態では、係合解除治具５０を挿入する挿入孔は、前面パネル５に形成された音楽ディスク３のディスク挿入孔５ａである。そのため、前面パネル５に、係合解除治具５０を挿入するため挿入孔を別途形成する必要がなくなり、前面パネル５の構成が簡素化される。また、ディスク駆動装置１のデザイン上の美観が損なわれるのを防止することができる。
【０１１４】
本形態では、係合部材１８に係合するレバー部材２５はＹ方向内側に付勢された状態で、扁平な細長状に形成されたディスク挿入孔５ａの長手方向の両側にそれぞれ配設されている。そのため、固定ネジ４３とともに、筐体４に対する前面パネル５の固定状態を安定させることができる。また、ディスク挿入孔５ａに挿入された係合解除治具５０のワイヤー部材５２をＹ方向外側に移動させるという簡易な構成で、係合部材１８とレバー部材２５との係合を解除することができる。
【０１１５】
本形態では、本体シャーシ１６を構成する第１シャーシ１９が、ディスプレイ９が固定された取付金具体１０を揺動可能に支持する支持部１９ａを備え、取付金具体１０がその下端側を中心として前面側に揺動して倒れ、地図ディスク２の交換が可能となるように構成されている。そのため、ディスプレイ９を備えている場合であっても、簡易な構成で、地図ディスク２の交換をすることができる。
【０１１６】
本形態では、つまみ１４を取り外して、固定ネジ４３を取り外せるようになっている。つまみ１４は、前面パネル５の前面側の突出しているため、イジェクトボタン１１や操作ボタン１２、１３を取り外す場合と比較して、取外しが容易になる。したがって、固定ネジ４３を容易に露出させることができ、固定ネジ４３の取外し作業が容易になる。
【０１１７】
（他の実施の形態）
上述した形態は、本発明の好適な形態の一例ではあるが、これに限定されるものではなく本発明の要旨を変更しない範囲において種々変形可能である。たとえば、上述した形態では、固定ネジ４３とパネル固定機構とによって、前面パネル５が筐体４に固定されていたが、固定ネジ４３のみによって、前面パネル５を筐体４に固定しても良い。また、パネル固定機構のみによって前面パネル５を筐体４に固定することも可能である。
【０１１８】
固定ネジ４３のみによって前面パネル５を筐体４に固定する場合には、複数の固定ネジ４３を用いるようにしても良い。この場合には、操作ボタン１２、１３等を前面パネル５から前面側に取外し可能に構成し、操作ボタン１２、１３等の後面側に固定ネジ４３を配設することが好ましい。このように構成すると、操作ボタン１２、１３等やつまみ１４を取り外し、さらに固定ネジ４３を取り外すことで、前面パネル５を筐体４の前面側から取り外すことができる。そのため、前面パネル５を筐体４の前方にそれほど突出させることなく、しかも、固定ネジ４３を取り外すという簡易な構成で、前面パネル５の後面側に配置された地図ディスク２の交換を行うことができる。また、固定ネジ４３は、操作ボタン１２、１３等やつまみ１４の後面側に配置されるため、操作ボタン１２、１３等やつまみ１４によって、前面パネル５の前面から固定ネジ４３が見えないようにすることができる。そのため、ディスク駆動装置１のデザイン上の美観が損なわれるのを防止することができる。
【０１１９】
また、上述した形態では、つまみ１４の後面側に固定ネジ４３が配置されていたが、操作ボタン１２、１３等の他の操作部材を前面パネル５の前面側から取外し可能に構成するとともに、操作ボタン１２、１３等の他の操作部材の後面側に固定ネジ４３を配置するようにしても良い。
【０１２０】
さらに、上述した形態では、ボス４４にメネジ部４４ａが形成され、固定ネジ４３によって、前面パネル５が取付金具３１に固定されるように構成されている。しかし、ボス４４にオネジを形成して、前面パネル５の前面側からナットをボス４４のオネジに螺合することで、前面パネル５を取付金具３１に固定するようにしても良い。
【０１２１】
さらにまた、上述した形態では、係合解除治具５０は、前面パネル５のディスク挿入孔５ａから挿入されるように構成されていたが、ディスク駆動装置１のデザイン上の美観が損なわれない程度であれば、係合解除治具５０を挿入するための挿入孔を前面パネル５に別途形成しても良い。
【０１２２】
また、上述した形態では、前面パネル５に係合部材１８が固定され、前面フレーム１７にレバー部材２５が取り付けられていたが、前面パネル５にレバー部材２５を取り付け、前面フレーム１７に係合部材１８を固定するようにしても良い。また、上述した形態では、係合部材１８が２つ設けられていたが、係合部材１８は１つであっても良い。
【０１２３】
さらに、上述した形態では、取付金具体１０を揺動させて、ディスク挿入孔６ａを露出させるように構成されているが、取付金具体１０を筐体４の前面と平行に移動させて、ディスク挿入孔６ａを露出させるように構成しても良い。
【０１２４】
また、ディスク駆動装置は、音楽ディスク３の代わりに映像が記録された映像用のディスクが再生されるディスク駆動装置であっても良い。また、本発明の構成は、ディスプレイ９を備えていないディスク駆動装置やカーナビゲーション装置以外のディスク駆動装置、あるいは、磁気記録ディスクを使用するディスク駆動装置に対しても適用することができる。
【図面の簡単な説明】
【０１２５】
【図１】本発明の実施の形態にかかるディスク駆動装置を示す斜視図である。
【図２】図１に示すディスク駆動装置において、地図ディスクの交換時の状態を示す斜視図である。
【図３】図１に示すディスク駆動装置の前面パネルを示す分解斜視図である。
【図４】図１に示すディスク駆動装置の、前面パネルを除く前面側の主要構成を示す分解斜視図である。
【図５】図４に示す本体シャーシおよび前面フレームの構成を示す分解斜視図である。
【図６】図４に示す取付金具体を示す分解斜視図である。
【図７】レバー部材と係合部材との係合関係を示す斜視図であり、（Ａ）は係合前の状態、（Ｂ）は係合後の状態を示す。
【図８】図４に示すレバー部材とその周辺の構成を示す断面図である。
【図９】図６に示すボスの断面を拡大して示す拡大断面図である。
【図１０】本発明の実施の形態にかかる係合解除治具を示す斜視図である。
【図１１】本発明の実施の形態にかかるディスク駆動装置における地図ディスクの交換動作の前半部分を説明する動作説明図であり、（Ａ）は、前面パネルからつまみを取り外した状態、（Ｂ）は、係合部材とレバー部材との係合状態を解除した状態、（Ｃ）は、筐体から前面パネルを取り外した状態を示す。
【図１２】本発明の実施の形態にかかるディスク駆動装置における地図ディスクの交換動作の後半部分を説明する動作説明図であり、（Ａ）は、取付金具体が露出した状態、（Ｂ）は、取付金具体が前面側に倒れた状態を示す。
【符号の説明】
【０１２６】
１  ディスク駆動装置
２  地図ディスク（第２のディスク）
３  音楽ディスク（第１のディスク）
４  筐体
５  前面パネル
５ａ  ディスク挿入孔（挿入孔）
６  地図ディスク駆動機構（ディスク駆動機構）
９  ディスプレイ（表示装置）
１４  つまみ（操作部材）
１８  係合部材（パネル固定機構の一部）
１９ａ  支持部
２５  レバー部材（パネル固定機構の一部）
２６  軸（パネル固定機構の一部）
２７  ねじりコイルバネ（パネル固定機構の一部）
２９  Ｅ形止め輪（パネル固定機構の一部）
４３  固定ネジ（固定部材）
５０  係合解除治具（治具）
【図１】
2006318526.tif 000003
【図２】
2006318526.tif 000004
【図３】
2006318526.tif 000005
【図４】
2006318526.tif 000006
【図５】
2006318526.tif 000007
【図６】
2006318526.tif 000008
【図７】
2006318526.tif 000009
【図８】
2006318526.tif 000010
【図９】
2006318526.tif 000011
【図１０】
2006318526.tif 000012
【図１１】
2006318526.tif 000013
【図１２】
2006318526.tif 000014